(57)【要約】  ブリスタパックおよび該ブリスタパック内にブリスタを包装するための方法が提案される。この場合、ブリスタパック１０は、ブリスタ３６内に配置された少なくとも１つの製品を取り出すための少なくとも１つの切欠き１６またはミシン目１８を備えた土台区分１４を有している。この土台区分１４には、底区分２６が結合されている。この底区分２６には、閉鎖区分３０が結合されている。ブリスタパック１０は、ブリスタパック１０内に包装したい少なくとも１つのブリスタ３６を土台区分１４に位置決めするために設けられた位置決め舌片２２によって特徴付けられている。
2009516625.tif 000002
【特許請求の範囲】
【請求項１】
ブリスタパック（１０）であって、ブリスタ（３６）内に配置された少なくとも１つの製品を取り出すための少なくとも１つの切欠き（１６）またはミシン目（１８）を備えた土台区分（１４）と、
該土台区分（１４）に結合された底区分（２６）と、
該底区分に結合された閉鎖区分（３０）とが設けられている形式のものにおいて、少なくとも土台区分（１４）の１つの辺に、当該ブリスタパック（１０）内に包装したい少なくとも１つのブリスタ（３６）を位置決めするための少なくとも１つの位置決め舌片（２２）が設けられていることを特徴とする、ブリスタパック。
【請求項２】
ブリスタ（３６）を位置決めするための位置決め舌片（２２）が、ブリスタ（３６）に少なくとも部分的に重なっている、請求項１記載のパック。
【請求項３】
ブリスタ（３６）を位置決めするための位置決め舌片（２２）が、土台区分（１４）および／またはブリスタ（３６）に接着されている、請求項１または２記載のパック。
【請求項４】
内側部材切欠き（３４）を備えた内側部材（３２）が設けられており、該内側部材（３２）が、ブリスタ（３６）のポケットに被せられていて、当該ブリスタパック（１０）によって取り囲まれている、請求項１から３までのいずれか１項記載のパック。
【請求項５】
土台区分（１４）にかつ／または閉鎖区分（３０）に接着手段（３１）が配置されており、これによって、当該ブリスタパック（１０）が、再閉鎖可能に閉鎖されるようになっている、請求項１から４までのいずれか１項記載のパック。
【請求項６】
少なくとも１つの閉鎖舌片（７８）が設けられており、該閉鎖舌片（７８）が、当該ブリスタパック（１０）を閉鎖するために、当該ブリスタパック（１０）の少なくとも１つの閉鎖スリット（７２）と協働するようになっている、請求項１から５までのいずれか１項記載のパック。
【請求項７】
閉鎖舌片（７８）が、折畳み線（８０）を介して位置決め舌片（２２）に結合されている、請求項１から６までのいずれか１項記載のパック。
【請求項８】
収容舌片（７６）を介して、少なくとも１つの同封物（７０）のための収容部（７４）が形成されている、請求項１から７までのいずれか１項記載のパック。
【請求項９】
内側部材（３２）が、１つの同封物（７０）を位置決めするための、内側部材切欠き（３４）なしの少なくとも一領域を有している、請求項１から８までのいずれか１項記載のパック。
【請求項１０】
内側部材（３２）が、少なくとも１つの切欠き（３９）を有しており、該切欠き（３９）が、少なくとも部分的に位置決め舌片（２２）によって重ねられるようになっている、請求項１から９までのいずれか１項記載のパック。
【請求項１１】
ブリスタパック（１０）が、ブリスタ（３６）内に配置された少なくとも１つの製品を取り出すための少なくとも１つの切欠き（１６）またはミシン目（１８）を備えた土台区分（１４）を有しており、ブリスタパック（１０）が、さらに、土台区分（１４）に結合された底区分（２６）を有しており、ブリスタパック（１０）が、底区分（２６）に結合された閉鎖区分（３０）を有しており、土台区分（１４）に、少なくともブリスタパック（１０）内に包装したい少なくとも１つのブリスタ（３６）を位置決めするための少なくとも１つの位置決め舌片（２２）が設けられている形式のブリスタパック（１０）内に少なくとも１つのブリスタ（３６）を包装するための方法において、当該方法が、以下のステップ：すなわち、
−折畳み箱（１２）として折り畳まれたブリスタパック（１０）を供給し、
−折畳み箱（１２）を起立させ、
−少なくとも１つのブリスタ（３６）を側方から押し込み、
−すくなくとも１つの位置決め舌片（２２）に接着剤塗布し、
−該位置決め舌片（２２）を折り畳みかつ接着し、これによって、位置決め舌片（２２）が、ブリスタ（３６）を土台区分（１４）に対して位置決めする：
を備えていることを特徴とする、ブリスタパック内に少なくとも１つのブリスタを包装するための方法。
【請求項１２】
ブリスタ（３６）に内側部材（３２）を被着する、請求項１１記載の方法。
【請求項１３】
ブリスタ（３６）にまたは内側部材（３２）に、相互の位置決めのために、接着剤を塗布する、請求項１１または１２記載の方法。
【請求項１４】
起立させられた折畳み箱（１２）内に同包紙片または同封物（７０）を押し込む、請求項１１から１３までのいずれか１項記載の方法。
【発明の詳細な説明】
【技術分野】
【０００１】
背景技術
本発明は、ブリスタパックであって、ブリスタ内に配置された少なくとも１つの製品を取り出すための少なくとも１つの切欠きまたはミシン目を備えた土台区分と、該土台区分に結合された底区分と、該底区分に結合された閉鎖区分とが設けられている形式のものに関する。
【０００２】
さらに、本発明は、ブリスタパックが、ブリスタ内に配置された少なくとも１つの製品を取り出すための少なくとも１つの切欠きまたはミシン目を備えた土台区分を有しており、ブリスタパックが、さらに、土台区分に結合された底区分を有しており、ブリスタパックが、底区分に結合された閉鎖区分を有しており、土台区分に、少なくともブリスタパック内に包装したい少なくとも１つのブリスタを位置決めするための少なくとも１つの位置決め舌片が設けられている形式のブリスタパック内に少なくとも１つのブリスタを包装するための方法に関する。
【０００３】
ドイツ連邦共和国特許第１９８５５３１８号明細書に基づき、医薬品のための包装手段が公知である。この公知の包装手段は、少なくとも二種類の一次パックに対する折畳み箱コンビネーションの形で形成されている。一次パックは、一方には経皮性の膏薬を含んでいて、もう一方にはカプセルを含んでいて、膏薬とカプセルとを一緒に収容する厚紙製の折畳み箱の形で形成されている。この折畳み箱は、包装せずに重ねて装入可能な個々の方形の膏薬のための相応の収容室を備えている。
【０００４】
ＤＥ６９７１９８２３Ｔ２に基づき、ブリスタパックが公知である。この公知のブリスタパックは、２つのポケット部分を備えたポケットアッセンブリを有している。両ポケット部分はそれぞれ１セットのポケットを有している。一方のポケット部分のポケットは、他方のポケット部分のポケットに対してずらされており、これによって、両ポケット部分のポケットが折畳み後に相互に係合する。防護ユニットは、有利には１つの中間区分を備えた２つの閉鎖区分を有している。中間区分は２つの折畳み線によって規定される。この場合、防護ユニットは折畳み線に沿って折り畳むことができる。支持ユニットはポケットアッセンブリに結合されており、これによって、少なくとも一方のポケット部分のポケットが少なくとも１つの孔に方向付けられている。
【０００５】
このようなパックは、一般的に、特殊化された機械で製作される。この機械は折畳みパックを、一般的に単層の平らな裁断片から折畳みによって製作する。ブリスタと、場合により装入したい患者向け情報書とは、折畳み過程の１つの中間ステップで接着されるかまたは封着される。このような機械は、一般的に、この折畳み可能なブリスタパックの製作に対してしか使用することができない。
【０００６】
本発明の課題は、従来の横型カートナによって少なくとも１つのブリスタで充填することができるブリスタパックを提供することである。この場合、横型カートナにほんの僅かな変更が行われさえすればよい。
【０００７】
この課題を解決するために本発明の構成では、少なくとも土台区分の１つの辺に、当該ブリスタパック内に包装したい少なくとも１つのブリスタを位置決めするための少なくとも１つの位置決め舌片が設けられているようにした。
【０００８】
本発明の有利な構成によれば、ブリスタを位置決めするための位置決め舌片が、ブリスタに少なくとも部分的に重なっている。
【０００９】
本発明の有利な構成によれば、ブリスタを位置決めするための位置決め舌片が、土台区分および／またはブリスタに接着されている。
【００１０】
本発明の有利な構成によれば、内側部材切欠きを備えた内側部材が設けられており、該内側部材が、ブリスタのポケットに被せられていて、当該ブリスタパックによって取り囲まれている。
【００１１】
本発明の有利な構成によれば、土台区分にかつ／または閉鎖区分に接着手段が配置されており、これによって、当該ブリスタパックが、再閉鎖可能に閉鎖されるようになっている。
【００１２】
本発明の有利な構成によれば、少なくとも１つの閉鎖舌片が設けられており、該閉鎖舌片が、当該ブリスタパックを閉鎖するために、当該ブリスタパックの少なくとも１つの閉鎖スリットと協働するようになっている。
【００１３】
本発明の有利な構成によれば、閉鎖舌片が、折畳み線を介して位置決め舌片に結合されている。
【００１４】
本発明の有利な構成によれば、収容舌片を介して、少なくとも１つの同封物のための収容部が形成されている。
【００１５】
本発明の有利な構成によれば、内側部材が、１つの同封物を位置決めするための、内側部材切欠きなしの少なくとも一領域を有している。
【００１６】
本発明の有利な構成によれば、内側部材が、少なくとも１つの切欠きを有しており、該切欠きが、少なくとも部分的に位置決め舌片によって重ねられるようになっている。
【００１７】
さらに、前述した課題を解決するために本発明の方法では、折畳み箱として折り畳まれたブリスタパックを供給し、折畳み箱を起立させ、少なくとも１つのブリスタを側方から押し込み、すくなくとも１つの位置決め舌片に接着剤塗布し、該位置決め舌片を折り畳みかつ接着し、これによって、位置決め舌片が、ブリスタを土台区分に対して位置決めするようにした。
【００１８】
本発明の有利な実施態様によれば、ブリスタに内側部材を被着する。
【００１９】
本発明の有利な実施態様によれば、ブリスタにまたは内側部材に、相互の位置決めのために、接着剤を塗布する。
【００２０】
本発明の有利な実施態様によれば、起立させられた折畳み箱内に同包紙片または同封物を押し込む。
【００２１】
発明の開示
請求項１の特徴によるブリスタパックは従来のものに比べて、このブリスタパックが従来の折畳み箱とほぼ同様に形成されているものの、位置決め舌片によって、包装したい少なくとも１つのブリスタをブリスタパック内に位置決めするために適しているという利点を有している。パックの、折畳み箱に準拠した形状によって、いま、ブリスタと、場合により同包紙片とを、単に僅かに変更された横型カートニングマシンによって包装することが可能になる。従来、ブリスタを折畳み箱内に包装している既存の横型カートニングマシンは、いま、新規のブリスタパックに対して僅かに組み換えられ得る。この新規のブリスタパックはウォレットパックとも呼ばれる。なぜならば、この新規のブリスタパックを財布の形で展開することができるからである。ウォレットパックの準備は、慣用の折畳み箱と同様に、長手方向シーム接着機械で行うことができる。極めて高価である特殊なウォレットマシンは、いまや、もはや不要になる。
【００２２】
さらに、ブリスタパック内にブリスタを包装するための本発明による方法は、起立させられた折畳み箱内への側方からのブリスタの押込みによって、包装機械の機構が横型カートニングマシンに適合されるという利点を有している。したがって、裁断片の折畳み過程の間のブリスタの供給を省略することができる。
【００２３】
別の有利な構成および実施態様は、従属請求項および明細書から明らかである。
【００２４】
図１に示したブリスタパック１０は長方形の土台区分１４を有している。この土台区分１４は、包装したいブリスタ３６のジオメトリに相応して、切欠き１６またはこのような切欠き１６に対する少なくとも１つのミシン目１８を有している。長方形の土台区分１４の短い方の辺には、それぞれ位置決め舌片２２が配置されている。この位置決め舌片２２は位置決め舌片折畳み線１５を介して土台区分１４に結合されていて、この土台区分１４に対して平行に折り込むことができる。この場合、位置決め舌片２２のジオメトリは、この位置決め舌片２２が、折り込まれた状態で切欠き１６に重なっておらず、これによって、さらに、製品取出しが可能となるように選択されている。選択的な凸状成形部１９が破線で図示してある。この凸状成形部１９は位置決め舌片２２の中間により大きな幅を有しており、これによって、位置決めしたいブリスタ３６に多くの作用面が付与される。土台区分１４の一方の長辺には、折畳み線２１を介して安定化舌片２０が設けられている。この安定化舌片２０の幅は、主として、土台区分１４の他方の辺に配置された第１の側壁２４の幅に適合されている。この第１の側壁２４は折畳み線２３を介して土台区分１４の他方の長辺に結合されていて、他方では、別の折畳み線２５を介して底区分２６に結合されている。この底区分２６の底面積は土台区分１４の底面積にほぼ合致している。折畳み線２７を介して、底区分２６の残りの長辺に第２の側壁２８が続いている。この第２の側壁２８は、第１の側壁２４とほぼ同じ幅を有している。折畳み線２９を介して、第２の側壁２８が閉鎖区分３０に結合されている。この閉鎖区分３０は、土台区分１４とほぼ同じ底面積を有している。選択的には、閉鎖区分３０に接着手段３１が被着されてよい。この接着手段３１は、折り畳まれた状態で閉鎖区分３０を土台区分１４に結合する。接着手段３１は、特に熱間硬化接着剤の使用時に閉鎖区分３０と土台区分１４との再閉鎖可能性に繋がり得る。
【００２５】
しかし、安定化舌片の幅が側壁２４に適合されている必要はない。複数の舌片が設けられていてもよい。
【００２６】
図２には、別個の内側部材３２が示してある。この内側部材３２は内側部材切欠き３４を有している。この内側部材切欠き３４は、ブリスタ３６のポケットに被せることができるように形成されている。
【００２７】
図３には、展開されたブリスタパック１０が示してある。この場合、土台区分１４には、ブリスタ３６が、ポケットと反対側の面で載着されている。ブリスタ３６のポケットの上方には、内側部材３２が位置している。土台区分１４に位置決め舌片折畳み線１５を介して結合された位置決め舌片２２は内方に折り返されていて、これによって、配置された内側部材３２を備えたブリスタ３６を取り囲んでいる。
【００２８】
図４には、折り畳まれたブリスタパック１０が示してある。このブリスタパック１０を閉鎖するためには、閉鎖区分３０と土台区分１４とが、たとえば接着手段３１によって互いに結合される。ブリスタ３６内に位置する製品は、いま、ブリスタ３６のポケットからの押出しによって切欠き１６を介して取り出すことができる。この切欠き１６はブリスタ３６のポケットに重なって配置されている。ブリスタ３６は、この重なった位置で位置決め舌片２２によって直接的にまたは選択的に載着された内側部材３２を介して間接的に位置保持される。
【００２９】
図５には、ブリスタパック１０内にブリスタ３６を包装するための個々の包装ステップが示してある。選択的なステップＡでは、ブリスタ３６のポケット側に接着剤塗布４２が行われる。このことは、特に内側部材３２を、同じく単に選択的に、ブリスタ３６にポケットに重ねて配置したい場合に、ブリスタ３６を安定化させるために働く。この同じく選択的なステップＢでは、内側部材供給手段４４によるブリスタ３６への内側部材３２の供給が行われる。ステップＣでは、ブリスタパック１０が折畳み箱１２として準備されていて、マガジン内に収納されている。ステップＤでは、折畳み箱起立ユニット４８が、平らな折畳み箱１２の起立を引き受け、これによって、被着された内側部材３２を備えたブリスタ３６を側方から導入することができる。このためには、押込み装置４６が設けられている。折畳み箱１２内に配置されたブリスタ３６は走行方向４０に引き続き搬送される。ステップＥでは、接着剤塗布装置５０が接着剤を、展開された位置決め舌片２２に上方から塗布する。ステップＦでは、位置決め舌片が押込み・圧着装置５２によって折り込まれる。この場合、位置決め舌片２２が、ブリスタ３６の位置決めのために、内側部材３２に接着される。
【００３０】
図１に示したブリスタパック１０は、いわゆる「ウォレットパック」として形成されている。すなわち、ブリスタパック１０が、ブリスタ内容物を取り出すために、図３に示したように、展開され得る。そこに示した状態では、押通し方向３８でブリスタ内容物がブリスタ３６のカバーシートに押し通され、切欠き１６を通して取り出されることによって、ブリスタ３６の、ポケット内に位置する内容物を取り出すことができる。土台区分１４の切欠き１６は、ブリスタ３６のポケットの裏側全体に重なるように配置されている。切欠き１６は、販売されるブリスタパック１０にすでに設けられていてよい。択一的には、顧客が相応のブリスタ内容物の取出し時に一緒に押し通すただ１つのミシン目１８を設け、これによって、相応の切欠きが形成されることが可能であってもよい。
【００３１】
ブリスタ３６の位置決めのためには、図３に示したように、位置決め舌片２２が、少なくともブリスタ３６に重なるように折り込まれている。永続的な位置決めのためには、位置決め舌片２２が土台区分１４および／またはブリスタ３６に永続的に接着されていることが提案されていてよい。供給された内側部材３２を備えた択一的な構成では、位置決め舌片２２が内側部材３２に接着されていてもよい。ブリスタ内容物の取出しが行われた後、ブリスタパック１０は再び閉鎖することができる。このためには、展開されたブリスタパック１０が再び折り畳まれ、これによって、底区分２６がポケットに接触させられ、閉鎖区分３０が、土台区分１４の、ブリスタ３６と反対の面に接触させられる。しかし、底区分２６はポケットに必ずしも接触する必要はない。ブリスタパック１０の閉鎖のためには、閉鎖区分３０または土台区分１４に設けられた接着手段３１が相対手段と接着結合を生ぜしめることが提案されていてよい。ブリスタパック１０の再閉鎖可能性を達成するためには、接着手段３１として、特に長期可塑性の熱間硬化接着剤が適している。択一的には、閉鎖が、同じく接着手段、たとえば長期可塑性の熱間硬化接着剤による安定化舌片２０と第２の側壁２８との接着によって行われてもよい。安定化のために働く安定化舌片２０は、択一的な構成では、排除されてもよい。
【００３２】
第１の実施例では、内側部材３２の使用が省略される。すなわち、いま、ブリスタパック１０の展開時にポケットの側方にブリスタ３６のシートも可視となる。第２の実施例では、いま、内側部材３２がブリスタパック１０の構成要素であり、ブリスタ３６のポケットに被せられる。内側部材切欠き３４のジオメトリはブリスタポケットのジオメトリに合致している。これによって、ブリスタ３６のシートが覆われる。内側部材３２は、たとえば厚紙裁断片として形成されている。この厚紙裁断片には、場合により予め視覚的に好印象に印刷が行われてよい。位置決め舌片２２は、いま、ブリスタ３６のほかに内側部材３２にも重なっていて、土台区分１４および／または内側部材３２および／またはブリスタ３６に接着されている。これによって、ブリスタ３６だけでなく、内側部材３２も紛失に対して安全にブリスタパック１０に結合される。第３の実施例では、いま、内側部材３２がブリスタ３６に接着されることが提案されている。これによって、さらに、ブリスタ３６の安定性が高められる。ブリスタ３６への内側部材３２の被着前には、接着剤または自己接着ラベルがブリスタ３６に被着されてよく、その結果、このブリスタ３６と内側部材３２とが結合を生ぜしめる。
【００３３】
ブリスタパック１０によるブリスタ３６の包装を図５に相俟って詳しく説明する。ブリスタ３６と内側部材３２とを互いに接着したい場合（第３の実施例）には、ステップＡで接着剤塗布装置４２によってブリスタ３６への接着剤塗布が行われる。このことは、特にブリスタ３６の安定化のために働く。これに続く、第２の実施例の場合にも使用されるステップＢでは、内側部材供給装置が内側部材３２をブリスタ３６のポケットの上方に供給し、場合により圧力を内側部材３２に加え、これによって、この内側部材３２がブリスタ３６に接着される。ステップＣでは、ブリスタパック１０が折畳み箱１２の形でマガジン内に準備される。図１に示したブリスタパック１０の裁断片のおかげで、このブリスタパック１０を折畳み箱１２の形で納品することができる。この折畳み箱１２は包装プロセス以外で印刷され、長手方向シームで前接着される。この前接着は、たとえば閉鎖区分３０の中心に取り付けられた接着ストリップ３１によって行われる。この接着ストリップ３１は土台区分１４に接着されている。接着手段は、すでに説明したように、ブリスタパック１０の再閉鎖可能性のために使用することができる。折畳み箱１２の平らな状態では、位置決め舌片２２ならびに安定化舌片２０が外向きに突出している。したがって、慣用の側方舌片が欠落している場合でも、形状が慣用の折畳み箱にほぼ相当している。これによって、いま、従来慣用のカートニングマシンを単に僅かに変更することが可能になり、これによって、このカートニングマシンが、図１に示したように、再閉鎖可能なブリスタパック１０ためにも使用される。したがって、特殊化されたウォレットマシンを省略することができる。既存の慣用の横型カートニングマシンの後装備が、より大きな手間なしに可能となる。したがって、ステップＤでは、平らな折畳み箱１２が起立ユニット４８によって起立させられる。折畳み箱１２の起立させられた状態では、折畳み箱１２の少なくとも１つの面が展開されており、これによって、場合により内側部材３２を備えたブリスタ３６を側方から押し込むことができる。このことは、押込み装置４６によって行われる。走行方向４０への更なる搬送後、ステップＥで接着剤塗布装置５０による位置決め舌片２２への接着剤塗布が続く。このためには、位置決め舌片２２の上面に接着剤跡が設けられる。次のステップＦでは、両位置決め舌片２２が９０゜位置にもたらされる。これに続くステップＧでは、相応の押込み・圧着ユニット５２が位置決め舌片２２の押込みおよび圧着を引き受ける。これによって、位置決め舌片２２が土台区分１４および／または選択的に被着された内側部材３２および／またはブリスタ３６に接着される。
【００３４】
慣用の横型カートニングマシンに対して、いま、変更されたカートニングマシンは、位置決め舌片２２に接着剤塗布するための装置５０だけ拡張されている。さらに、押込み・圧着ユニット５２が設けられなければならない。この押込み・圧着ユニット５２は位置決め舌片２２を折畳み箱１２の内部に押し込み、土台区分１４に向かってブリスタ３６の位置決めのために押圧する。
【００３５】
すでに説明したパック１０の基本思想を逸脱することなしに、別のパック変化形が可能となる。図６および図７に示したパックは、１つには、同封物７０、たとえば医薬品に対する患者向け情報書のための収容部７４の点で優れている。このためには、底区分２６の端辺に、比較的長く寸法設定された収容舌片７６が設けられている。この収容舌片７６は底区分２６の内方に折り込まれ、折畳み線に対して垂直に左右で接着される。上方では、収容舌片２４の折込みによって形成された収容部７４が開放されたままとなり、これによって、そこに同封物７０が押し込まれる。もう１つには、パックが、閉鎖舌片７８を介した閉鎖可能性を有している。この閉鎖舌片７８は、パックの閉鎖のために、底区分２６と収容舌片７６とに設けられた閉鎖スリット７２に差し通すことができる。閉鎖舌片７８は、有利には、位置決め舌片２２の一部であるものの、折畳み線８０によって鉛直に土台区分１４から離れる方向に方向付けられている。舌片２２の、土台区分１４に対して平行に方向付けられた部分は、すでに説明したように、ブリスタ３６および／または内側部材３２の位置決めのために使用されてよいのに対して、鉛直に方向付けられた舌片部分７８はウォレットの閉鎖のために働く。
【００３６】
図８および図９に示した別のパック変化形では、下側の領域にしか内側部材切欠き３４が位置していないように、内側部材３２が形成されている。内側部材切欠き３４なしの上側の領域には、単に同封物７０が被着、有利には接着され得る。ブリスタ３６のサイズは内側部材３２よりも僅かであり、主として、内側部材切欠き３４も含む領域に制限されている。同封物７０は包装機械で内側部材３２に取り付けることができる。
【００３７】
別のパック変化形には、同じく内側部材切欠き３４を有する内側部材３２が示してある。内側部材切欠きのジオメトリは、図１０に示した形式でブリスタ３６に重ねるために、図２に示した実施例と同様にブリスタ３６のポケット３７に対して設計されている。内側部材３２の端辺、有利には中間には、それぞれ切欠き３９が設けられている。この切欠き３９はほぼ半円形に形成されている。内側部材に設けられた切欠き３９は、内側部材３２もしくはブリスタ３６の、改善された取付けのために働く。なぜならば、位置決め舌片２２が折込み後に切欠き３９に重なっており、これによって、位置決め舌片２２を直接土台区分１４に接着することもできるからである。図１０によれば、切欠き３９の寸法は、ブリスタ３６が切欠き３９の領域で完全に重ねられないように選択されている。これによって、位置決め舌片２２が、ブリスタ３６の、内側部材３２によって重ねられていない領域でブリスタ３６に接着することもできる。この変化形では、数多くの変更が可能である。したがって、内側部材３２のただ１つの切欠き３９しか設けられていなくてもよい。この切欠き３９は別の幾何学的な形状、たとえば方形または三角形またはこれに類する形状を有していてもよい。切欠き３９のサイズは、この切欠き３９の領域でブリスタ３６が完全に重ねられるように選択されてもよい。
【図面の簡単な説明】
【００３８】
【図１】ブリスタパックの外側部材を、展開された状態で示す図である。
【図２】ブリスタパックに用いられる内側部材を示す図である。
【図３】供給されたブリスタを備えた展開されたブリスタパックを示す図である。
【図４】折り畳まれたブリスタパックを示す図である。
【図５】ブリスタパック内にブリスタを包装するための種々異なる包装ステップを示す図である。
【図６】同封物のための保管可能性を備えた展開時の別のパックを示す図である。
【図７】折畳み箱の、図６に示したパックに所属の裁断片を示す図である。
【図８】別のパック変化形に対する構成要素を示す図である。
【図９】図８に示したパック変化形の、展開されたパックを示す図である。
【図１０】ブリスタを備えた内側部材の別の変化形を示す図である。
【符号の説明】
【００３９】
１０  ブリスタパック、  １２  折畳み箱、  １４  土台区分、  １５  位置決め舌片折畳み線、  １６  切欠き、  １８  ミシン目、  １９  凸状成形部、  ２０  安定化舌片、  ２１  折畳み線、  ２２  位置決め舌片、  ２３  折畳み線、  ２４  側壁、  ２５  折畳み線、  ２６  底区分、  ２７  折畳み線、  ２８  側壁、  ２９  折畳み線、  ３０  閉鎖区分、  ３１  接着手段、  ３２  内側部材、  ３４  内側部材切欠き、  ３６  ブリスタ、  ３７  ポケット、  ３８  押通し方向、  ３９  切欠き、  ４０  走行方向、  ４２  接着剤塗布装置、  ４４  内側部材供給手段、  ４６  押込み装置、  ４８  折畳み箱起立ユニット、  ５０  接着剤塗布装置、  ５２  押込み・圧着ユニット、  ７０  同封物、  ７２  閉鎖スリット、  ７４  収容部、  ７６  収容舌片、  ７８  閉鎖舌片、  ８０  折畳み線
【図１】
2009516625.tif 000003
【図２】
2009516625.tif 000004
【図３】
2009516625.tif 000005
【図４】
2009516625.tif 000006
【図５】
2009516625.tif 000007
【図６】
2009516625.tif 000008
【図７】
2009516625.tif 000009
【図８】
2009516625.tif 000010
【図９】
2009516625.tif 000011
【図１０】
2009516625.tif 000012
【国際調査報告】
2009516625.tif 000013
2009516625.tif 000014
2009516625.tif 000015
2009516625.tif 000016